(57)【要約】【課題】印字ロールの交換時に、部品点数を増やすことなく蓋部が急激に落下して閉じるのを防止するとともに、容易に蓋部を閉じることができる情報処理装置および決済端末装置を提供する。【解決手段】本体２０および蓋部３０のうちの一方には、回動軸２５の軸線ＣＬを中心として湾曲し、かつ、互いに対向する一対の円弧面４３、４４が設けられている。また、本体２０および蓋部３０のうちの他方には、シャフト６５および可動爪５３の係合が解除されたときに各円弧面４３、４４間に対して摺接する摺接部材４８が設けられている。このため、ロック部５０のシャフト６５および可動爪５３の係合を解除して蓋部３０を開く際に、摺接部材４８が円弧面４３に摺接するので、部品点数を増加させることなく、開く途中で蓋部３０が自重で急激に落下して閉じるのを防止できる。また、開放状態の蓋部３０は、摺接部材４８による摩擦抵抗に抗して閉じるだけなので、容易に閉じることができる。【選択図】図２
2014208450.tif 000002
【特許請求の範囲】
【請求項１】
本体と、
回動軸を介して本体と連結される蓋部と、
前記本体に対して前記蓋部が閉鎖した状態を保持または解除するロック部と、
前記回動軸の軸線を中心として湾曲し、かつ、互いに対向する一対の円弧面と、
前記ロック部の操作により前記本体と前記蓋部との係合が解除される位置から、前記蓋部が前記本体に対して全開となる位置までの少なくとも一部の区間において前記一対の円弧面に摺接する摺接部材と、を備える情報処理装置。
【請求項２】
前記ロック部により前記本体と前記蓋部との係合が解除される位置は、前記本体に対して前記蓋部が閉鎖した状態における位置と前記蓋部が前記本体に対して全開となる位置との間にある請求項１に記載の情報処理装置。
【請求項３】
前記蓋部が前記本体に対して閉鎖する方向に回動して、前記ロック部の操作により前記本体と前記蓋部との係合が解除される位置にきたときに、前記摺接部材が前記一対の円弧面の少なくとも一方と離間するよう、前記一対の円弧面の湾曲方向における各端部が配置された請求項１または請求項２に記載の情報処理装置。
【請求項４】
前記摺接部材が、弾性を有するとともに円筒形状とされ、前記本体および前記蓋部のうちのいずれか一方に設けられた支持柱に軸通されている請求項１〜請求項３のうちのいずれか１項に記載の情報処理装置。
【請求項５】
前記摺接部材は、前記一対の円弧面の湾曲方向における各端部のうち、前記回動軸に近い側の円弧面が有する端部よりも、前記回動軸から遠い側の円弧面が有する端部の方から早く離間する請求項４に記載の情報処理装置。
【請求項６】
前記蓋部はさらに、蓋本体部と回動抑制部とにより構成され、
前記回動軸の軸受部が前記蓋本体部と前記回動抑制部とに分割して設けられ、
前記本体は前記回動軸と前記支持柱とを備え、
前記回動抑制部は、前記一対の円弧面と、前記回動軸から遠い側の円弧面がその湾曲方向に有する端部より連続する直線部と、をさらに備えた請求項５に記載の情報処理装置。
【請求項７】
前記本体の開口部に設けられ、印字ロール紙を収容可能な収容部と、
前記印字ロール紙からの引出部を前記収容部から前記本体の外部へと案内する案内路と、
前記本体に対して前記蓋部が閉鎖された状態で、前記印字ロール紙から前記案内路に送られた引出部に印字するとともに、前記印字済みの引出部を前記本体の外部へと排出するプリンタ部と、をさらに備え、
前記案内路は、前記本体における前記収容部に対して前記回動軸とは反対側に設けられた請求項１〜請求項６のうちのいずれか１項に記載の情報処理装置。
【請求項８】
前記蓋部は、情報処理に必要な情報の入力部と、前記入力部の操作により入力された情報または前記情報処理の結果を表示可能な表示部と、をさらに備えた請求項１〜請求項７のうちのいずれか１項に記載の情報処理装置。
【請求項９】
本体と、
回動軸を介して本体と連結される蓋部と、
前記本体に対して前記蓋部が閉鎖した状態を保持するロック部と、
前記回動軸の軸線を中心として湾曲し、かつ、互いに対向する一対の円弧面と、
前記ロック部の操作により前記本体と前記蓋部との係合が解除される位置から、前記蓋部が前記本体に対して全開となる位置までの少なくとも一部の区間において前記一対の円弧面に摺接する摺接部材と、
前記本体の開口部に設けられ、印字ロール紙を収容可能な収容部と、
前記印字ロール紙からの引出部を前記収容部から前記本体の外部へと案内する案内路と、
前記本体に対して前記蓋部が閉鎖された状態で、前記印字ロール紙から前記案内路に送られた引出部に印字するとともに、前記印字済みの引出部を前記本体の外部へと排出するプリンタ部と、を備え、
前記蓋部は、決済処理に必要な情報の入力部と、前記入力部の操作により入力された情報または前記決済処理の結果を表示可能な表示部と、をさらに備えた決済端末装置。
【発明の詳細な説明】
【技術分野】
【０００１】
本発明は、本体に対して蓋部が回動可能に設けられている情報処理装置および決済端末装置に関するものである。
【背景技術】
【０００２】
従来、情報処理装置等の電子機器において、本体に対して蓋部が回動可能に設けられているものが知られている（例えば、特許文献１参照）。
図１３に示すように、特許文献１に記載の電子機器である複合機１００では、上段のスキャナ部（蓋部）１０１が下段のプリンタ部（本体）１０２に対して回動装置１０３を介して上側へ回動可能に設けられている。
【０００３】
図１４に示すように、この回動装置１０３は、スタンド１０４およびガイド部材１０５を有する。スタンド１０４は、第１端１０６がプリンタ部１０２に回動自在に接続されていて、開状態のスキャナ部１０１を支持する。ガイド部材１０５は、スキャナ部１０１に取り付けられており、長手方向にガイド孔１０８を有する。ガイド孔１０８の先端部には係止孔１０９が設けられている。
【０００４】
ガイド孔１０８は、スキャナ部１０１の回動動作に連動してスタンド１０４の第２端１０７を案内し、第２端１０７を係止孔１０９に挿入することにより、スキャナ部１０１を開状態で保持する。
スタンド１０４の第２端１０７付近には、断面が楕円形のネック部（図示省略）が設けられており、ネック部に、円筒形状のフリクションラバー（図示省略）が装着されている。
これにより、フリクションラバーがガイド部材１０５のガイド孔１０８に沿って移動する際の摩擦力により、スキャナ部１０１が急激に下降して閉じるのを防止している。
【先行技術文献】
【特許文献】
【０００５】
【特許文献１】特開２０１０−４５７３６号公報（第２図、第８図）
【発明の概要】
【発明が解決しようとする課題】
【０００６】
しかしながら、前述したような従来の情報処理装置（複合機）においては、蓋部（スキャナ部）を開いた状態で保持するスタンド等の部材が必要となり、部品点数が増加するという問題があった。
また、開状態を解除して蓋部を閉じる際には、蓋部を一方の手で一旦持ち上げて、他方の手でスタンド等を移動させる必要があるため、面倒であるという問題があった。
【０００７】
本発明は、従来の問題を解決するためになされたもので、印字ロールの交換時等に、部品点数を増やすことなく蓋部が急激に落下して閉じるのを防止するとともに、容易に蓋部を閉じることができる情報処理装置および決済端末装置を提供することを目的とする。
【課題を解決するための手段】
【０００８】
本発明の情報処理装置は、本体と、回動軸を介して本体と連結される蓋部と、前記本体に対して前記蓋部が閉鎖した状態を保持または解除するロック部と、前記回動軸の軸線を中心として湾曲し、かつ、互いに対向する一対の円弧面と、前記ロック部の操作により前記本体と前記蓋部との係合が解除される位置から、前記蓋部が前記本体に対して全開となる位置までの少なくとも一部の区間において前記一対の円弧面に摺接する摺接部材と、を備えるものである。
【０００９】
また、本発明の情報処理装置は、前記ロック部により前記本体と前記蓋部との係合が解除される位置は、前記本体に対して前記蓋部が閉鎖した状態における位置と前記蓋部が前記本体に対して全開となる位置との間にあるものである。
【００１０】
また、本発明の情報処理装置は、前記蓋部が前記本体に対して閉鎖する方向に回動して、前記ロック部の操作により前記本体と前記蓋部との係合が解除される位置にきたときに、前記摺接部材が前記一対の円弧面の少なくとも一方と離間するよう、前記一対の円弧面の湾曲方向における各端部が配置されたものである。
【００１１】
また、本発明の情報処理装置は、前記摺接部材が、弾性を有するとともに円筒形状とされ、前記本体および前記蓋部のうちのいずれか一方に設けられた支持柱に軸通されているものである。
【００１２】
また、本発明の情報処理装置は、前記摺接部材は、前記一対の円弧面の湾曲方向における各端部のうち、前記回動軸に近い側の円弧面が有する端部よりも、前記回動軸から遠い側の円弧面が有する端部の方から早く離間するものである。
【００１３】
また、本発明の情報処理装置は、前記蓋部はさらに、蓋本体部と回動抑制部とにより構成され、前記回動軸の軸受部が前記蓋本体部と前記回動抑制部とに分割して設けられ、前記本体は前記回動軸と前記支持柱とを備え、前記回動抑制部は、前記一対の円弧面と、前記回動軸から遠い側の円弧面がその湾曲方向に有する端部より連続する直線部と、をさらに備えたものである。
【００１４】
また、本発明の情報処理装置は、前記本体の開口部に設けられ、印字ロール紙を収容可能な収容部と、前記印字ロール紙からの引出部を前記収容部から前記本体の外部へと案内する案内路と、前記本体に対して前記蓋部が閉鎖された状態で、前記印字ロール紙から前記案内路に送られた引出部に印字するとともに、前記印字済みの引出部を前記本体の外部へと排出するプリンタ部と、をさらに備え、前記案内路は、前記本体における前記収容部に対して前記回動軸とは反対側に設けられたものである。
【００１５】
また、本発明の情報処理装置は、前記蓋部は、情報処理に必要な情報の入力部と、前記入力部の操作により入力された情報または前記情報処理の結果を表示可能な表示部と、をさらに備えたものである。
【００１６】
さらに、本発明の決済端末装置は、本体と、回動軸を介して本体と連結される蓋部と、前記本体に対して前記蓋部が閉鎖した状態を保持するロック部と、前記回動軸の軸線を中心として湾曲し、かつ、互いに対向する一対の円弧面と、前記ロック部の操作により前記本体と前記蓋部との係合が解除される位置から、前記蓋部が前記本体に対して全開となる位置までの少なくとも一部の区間において前記一対の円弧面に摺接する摺接部材と、前記本体の開口部に設けられ、印字ロール紙を収容可能な収容部と、前記印字ロール紙からの引出部を前記収容部から前記本体の外部へと案内する案内路と、前記本体に対して前記蓋部が閉鎖された状態で、前記印字ロール紙から前記案内路に送られた引出部に印字するとともに、前記印字済みの引出部を前記本体の外部へと排出するプリンタ部と、を備え、前記蓋部は、決済処理に必要な情報の入力部と、前記入力部の操作により入力された情報または前記決済処理の結果を表示可能な表示部と、をさらに備えたものである。
【発明の効果】
【００１７】
本発明は、本体および蓋部のうちの一方には、回動軸の軸線を中心として湾曲し、かつ、互いに対向する一対の円弧面が設けられている。また、本体および蓋部のうちの他方には、固定爪および可動爪の係合が解除されたときに各円弧面間に対して摺接する摺接部材が設けられている。このため、ロック部を構成する固定爪および可動爪と、シャフトとの係合を解除して蓋部を開く際に、摺接部材が円弧面に摺接するので、部品点数を増加させることなく、開く途中で蓋部が自重で急激に落下して閉じるのを防止できる。また、開放状態の蓋は、摺接部材による摩擦抵抗に抗して閉じるだけなので、容易に閉じることができるという効果を有する情報処理装置および決済端末装置を提供できる。
【図面の簡単な説明】
【００１８】
【図１】本発明に係る実施形態の情報処理装置の閉鎖状態を示す全体斜視図
【図２】本発明に係る実施形態の情報処理装置の閉鎖状態を示す斜視断面図
【図３】本発明に係る実施形態の情報処理装置の全開状態を示す斜視断面図
【図４】プリンタ部を斜め上方から見た斜視図
【図５】ロック部とプリンタ部との関係を示す斜視図
【図６】ヒンジ部の拡大側面図
【図７】ヒンジ部の組立展開図
【図８】本発明に係る実施形態の情報処理装置の閉鎖状態を示す側断面図
【図９】ロック解除時におけるロック部の動きを示す側面図
【図１０】本発明に係る実施形態の情報処理装置のロック解除時における側断面図
【図１１】本発明に係る実施形態の情報処理装置の半開状態における側断面図
【図１２】本発明に係る実施形態の情報処理装置の全開状態における側断面図
【図１３】従来の複合機の全体斜視図
【図１４】従来の複合機における回動装置の側面図
【発明を実施するための形態】
【００１９】
以下、本発明に係る実施形態の情報処理装置について、図面を用いて説明する。
図１に示すように、本発明に係る実施形態の情報処理装置１０は、例えば電子マネーやＩＣクレジットカード、磁気読み取りタイプのクレジットカードの決済を行うための決済端末装置に用いることができる。
【００２０】
情報処理装置１０は、上方が開口（開口部２１）した矩形箱状の本体２０と、本体２０の開口部２１を覆う蓋部３０を有する。なお、以下の説明において、蓋部３０側を上とし、本体２０側を下として説明する。
図２に示すように、蓋部３０は矩形板状の蓋本体部３０１を有しており、蓋本体部３０１はヒンジ部４０を介して上下方向に回動可能に支持されている。また、蓋部３０は、本体２０の開口部２１を覆う閉鎖状態において、ロック部５０により本体２０に固定される。
【００２１】
図２および図３に示すように、本体２０は、後端部上部にヒンジ部４０を有し、内部中央部に印字ロール紙２２を収容する半円筒形状の収容部２３を有する。収容部２３の前側には、印字ロール紙２２から引き出された引出部２２１を本体２０の外部まで案内する案内路２３１が設けられている。案内路２３１には、プリンタ部６０の一部である下プリンタ部６２が取り付けられている。また、下プリンタ部６２の後方には、蓋部３０を本体２０に固定するロック部５０が設けられている。
【００２２】
蓋部３０は、後端部下部にヒンジ部４０を有しており、本体２０に対して上下方向に回動して開口部２１を開閉する。蓋部３０の上面３１には、液晶表示板（表示部）３２および入力部３３を有する。入力部３３は、種々の機能を選択する機能スイッチ３３１や、数字等を入力するテンキー３３２等を有する（図１参照）。液晶表示板３２には、入力部３３により入力された数字等が表示される。
【００２３】
蓋部３０の前端下面には、印字ロール紙２２の引出部２２１に印字するプリンタ部６０の一部である上プリンタ部６１が取り付けられている。
従って、蓋部３０を本体２０に対して閉鎖した状態で、上プリンタ部６１と下プリンタ部６２とからプリンタ部６０が形成される。
【００２４】
図４に示すように、プリンタ部６０は、印字ロール紙２２の引出部２２１に印字する印字ヘッド６４を有する。上プリンタ部６１には、蓋部３０の幅方向と平行に、シャフト６５（図３参照）が設けられている。
ここで、シャフト６５は、蓋部３０が本体２０の開口部２１を覆う閉鎖状態において、下プリンタ部６２の可動爪５３と固定爪５４によって固定保持される。すなわち、このシャフト６５は、上プリンタ部６１を構成し、下プリンタ部６２の印字ヘッド６４と当接する印字ローラ６３のシャフトである。
【００２５】
また、下プリンタ部６２は、印字ヘッド６４に対向する印字ローラ６３を有する。印字ローラ６３は弾性体で形成されており、印字時に印字ロール紙２２の引出部２２１を下方から支持する。
印字ヘッド６４と印字ローラ６３とは、プリンタ部６０に設けられているばね（図示省略）により、互いに押圧されている。
【００２６】
図４および図５に示すように、ロック部５０は、ロック解除ボタン５１、応力伝達部材５２、可動爪５３および固定爪５４を有する。
ロック解除ボタン５１は、蓋部３０を上方へ回動させる際にロック部５０を解除するためのボタンであり、本体２０の側面に設けられているボタン用開口２４（図１参照）から外側に露出している。
【００２７】
ロック解除ボタン５１は、本体２０の側面に露出し、ユーザが押下げる矩形箱状の操作部５１１を有する。操作部５１１の下側には、応力伝達部材５２を押圧するための半円形状の押圧部５１２を有する。さらに、ロック解除ボタン５１を押下げた際に、まっすぐに上下移動するためのガイド部５１３を有する。また、操作部５１１の前端下側には、Ｊ字形状のスライド部５１４が設けられている。
【００２８】
ロック解除ボタン５１の前側下方には、応力伝達部材５２が設けられている。応力伝達部材５２には、ロック解除ボタン５１の押圧部５１２の下面に当接する押下部５２１が設けられている。押下部５２１の前側には、ロック解除ボタン５１のスライド部５１４の下面が当接してスライドするスライド面５２３が設けられている。また、スライド面５２３の側方には、箱状の保持部５２２が設けられている。
【００２９】
保持部５２２の前側には、可動爪５３が取り付けられている。可動爪５３は、その後端が保持部５２２に挿入されて保持される。可動爪５３の前端には、プリンタ部６０のシャフト６５を固定爪５４と挟めて係止するために、半円形状の係止凹部５３１が形成されている。
従って、本体２０側のロック部５０に設けられた可動爪５３が、蓋部３０側に設けられたプリンタ部６０のシャフト６５を固定爪５４と挟めて係止することにより、蓋部３０は本体２０に固定される。
なお、可動爪５３は、ロック解除ボタン５１を押下げた際に後退するが、その他の場合には、容易に後退しないようになっている。
【００３０】
図２におよび図６に示すように、ヒンジ部４０では、本体２０に設けられている回動軸２５が軸受部３４によって回動可能に保持される。軸受部３４は分割されて設けられており、蓋本体部３０１には一方３４１が設けられていて、後述する回動抑制部４１に他方３４２が設けられている。
蓋部３０における蓋本体部３０１の下面には、軸受部３４の他方３４２（図７も参照）を備えた全体Ｊ字形状の回動抑制部４１が取り付けられる。回動抑制部４１は、回動軸２５の軸線ＣＬを中心として円弧状に湾曲する湾曲部４２と、湾曲部４２の上方に続く直線部４５を有する。
【００３１】
湾曲部４２は、所定間隔で対向する一対の円弧面４３、４４を有する。このうち、回動軸２５に近い側の円弧面４３は、軸受部３４の他方３４２（図７も参照）でもある。直線部４５は、一対の平面４６、４７を有する。これらのうち、平面４６は蓋部３０に設けられ（図７参照）、平面４７は回動抑制部４１に設けられる。軸線ＣＬ側の円弧面４３の湾曲方向における一方の端部と、平面４６との間には、切れ目４９が設けられている。
切れ目４９は、蓋部３０側に設けられている（図７も参照）。そして、本体２０に対して蓋部３０が閉鎖した状態において、その切れ目４９に位置する摺接部材４８は、少なくとも回動軸２５から遠い側の円弧面４４とは当接しない。また、本体２０に対して蓋部３０が閉鎖した状態において、摺接部材４８は、回動軸２５に近い側の円弧面４３とも当接しないか、または当接したとしても、その接触面積はその他の状態よりも少ない。すなわち、線接触か、もしくはそれに近い状態となる。
【００３２】
もちろん、この状態において、摺接部材４８は、平面４６および４７にも当接しない。すなわち摺接部材４８は、押圧力や摩擦抵抗を他から受けていないか、受けたとしても、その他の状態よりは小さい。そのため、本体に対して蓋部が閉鎖した状態から、ロック部の操作により本体と蓋部との係合が解除されるまでは、摺接部材４８が一対の円弧面４３、４４の少なくとも一方と離間しており、摺接部材４８と円弧面４３、４４との摩擦抵抗が減る。そしてユーザは、ロック部５０を操作する手とは別の手で蓋部３０を持ち上げる必要がなく、ロック部５０の片手操作のみにより本体２０と蓋部３０との係合を容易に解除することができる。
【００３３】
なお、図７に示すように、蓋部３０を本体２０に取り付けることにより、蓋部３０に設けられている軸受部３４の一方３４１を回動軸２５の上面に当接させる。また、回動抑制部４１を本体２０の下面側から挿入することにより、回動抑制部４１に設けられている軸受部３４の他方３４２を回動軸２５の下面に当接させる。従って、回動軸２５を、軸受部３４の一方３４１と、軸受部３４の他方３４２とで挟むことにより、回動軸２５を軸受部３４によって回動可能に保持することができる。
これにより、ヒンジ部４０の組立性が向上する。
【００３４】
一方、本体２０側には、支持柱２６が設けられており、支持柱２６の外側には摺接部材４８が取り付けられている。摺接部材４８は、弾性を有するゴム等により、円筒形状に形成されている。摺接部材４８の内径は支持柱２６の外径よりも小さめとなっており、伸ばしながら支持柱２６に装着することができる。このため、摺接部材４８は、支持柱２６に対して回転しない。
【００３５】
回動軸２５と支持柱２６との間隔は、ロック部５０においてシャフト６５と可動爪５３および固定爪５４との係合が解除されて、蓋部３０が回動可能な状態となったときに、摺接部材４８が弾性変形して円弧面４３に、次いで円弧面４４に押し付けられる。
従って、蓋部３０が回動して本体２０の開口部２１を開閉する際には、摺接部材４８は回動抑制部４１の円弧面４３、４４に押し付けられており、一定の摩擦力が働いている。
一方、摺接部材４８は、本体２０に対して蓋部３０が閉鎖する方向に回動して、シャフト６５と可動爪５３とが接触したときに、円弧面４３、４４から離脱して切れ目４９に位置する。
【００３６】
次に、印字ロール紙２２を交換する際の蓋部３０の開閉動作について説明する。
まず、図２および図８に示すように、本体２０にロックされた状態（閉鎖状態）から蓋部３０を開く動作について説明する。
この閉鎖状態では、ロック部５０において本体２０側に設けられている可動爪５３が、蓋部３０側のプリンタ部６０に設けられているシャフト６５を、固定爪５４と挟めて係止してロックしている。また、ヒンジ部４０では、本体２０側の摺接部材４８は、蓋部３０側の円弧面４３の切れ目４９に位置しており、回動抵抗は生じていない。
【００３７】
次いで、図９に示すように、ユーザは、本体２０の側面に設けられているロック解除ボタン５１の操作部５１１を押下げる（図９中矢印Ａ参照）。これにより、ロック解除ボタン５１の押圧部５１２が応力伝達部材５２の押下部５２１を押下げる。このとき、ロック解除ボタン５１のスライド部５１４が、応力伝達部材５２のスライド面５２３に当接してスライド（図９中矢印Ｂ参照）すると同時に、応力伝達部材５２を押下げる。
これにより、応力伝達部材５２は、スライド部５１４の下端部を中心として図９中矢印Ｃ方向へ回動する。そして、可動爪５３は保持部５２２に引っ張られて後退し（図９中矢印Ｄ参照）、シャフト６５から離脱して、ロック状態を解除する。
【００３８】
印字ヘッド６４と印字ローラ６３とは、印字ヘッド６４の印字ローラ６３との当接面とは反対側に設けられるばね（図示省略）によって互いに押圧されているため、ロック状態が解除されると、ばねの反発力により印字ヘッド６４を押し上げる。このとき、本体２０側の摺接部材４８は、蓋部３０側の円弧面４３の切れ目４９に位置しており、回動抵抗は生じていないので、容易にロック状態から脱する。すなわち、図１０に示すように、可動爪５３がシャフト６５から離脱し、蓋部３０が上方に回動して、蓋部３０の前端に隙間Ｄが形成される。
図１１に示すように、ユーザは、円弧面４３、４４と摺接部材４８とによる摩擦力に抗して蓋部３０を上方へ回動させる。これにより、図１２に示すように、蓋部３０が全開状態に達するので、ユーザは印字ロール紙２２を交換することができる。
印字ロール紙２２を交換したら、円弧面４３、４４と摺接部材４８とによる摩擦力に抗してユーザは蓋部３０を閉じ、ロック部５０の可動爪５３によって蓋部３０のプリンタ部６０のシャフト６５を固定爪５４と挟めて係止してロックする。
【００３９】
本発明の情報処理装置１０の作用効果について説明する。
本発明の情報処理装置１０においては、本体２０には、回動軸２５を介して蓋部３０が連結されており、本体２０に対して蓋部３０が閉鎖した状態を保持または解除するロック部５０を有する。本体２０または蓋部３０の一方には、回動軸２５の軸線ＣＬを中心として湾曲し、かつ、互いに対向する一対の円弧面４３、４４が設けられている。また、本体２０または蓋部３０の他方には、ロック部５０の操作により本体２０と蓋部３０との係合が解除される位置から、蓋部３０が本体２０に対して全開となる位置までの少なくとも一部の区間において一対の円弧面４３、４４に摺接する摺接部材４８が設けられている。
【００４０】
このため、ロック部５０を解除して蓋部３０を閉じたり開いたりする途中で、蓋部３０が自重により急激に落下することを防ぐことができる。
また、本体２０に対して蓋部３０が閉鎖した状態から、ロック部５０の操作により本体２０と蓋部３０との係合が解除されるまでは、摺接部材４８が一対の円弧面４３、４４の少なくとも一方と離間している。このため、摺接部材４８と円弧面４３、４４との摩擦抵抗が減るので、ユーザがロック部５０を操作する手とは別の手で蓋部３０を持ち上げる必要がなく、ロック部５０の片手操作のみにより本体２０と蓋部３０との係合を容易に解除することができる。
【００４１】
また、本発明の情報処理装置１０は、本体２０に対して蓋部３０が閉鎖した状態における位置と、蓋部３０が本体２０に対して全開となる位置との間において、ロック部５０により本体２０と蓋部３０との係合が解除されて、蓋部３０を開けることができる。
【００４２】
また、本発明の情報処理装置１０は、一対の円弧面４３、４４の湾曲方向における各端部は、蓋部３０が本体２０に対して閉鎖する方向に回動して、ロック部５０の操作により本体２０と蓋部３０との係合が解除される位置にきたときに、摺接部材４８が一対の円弧面４３、４４の少なくとも一方と離間する。
このため、摺接部材４８と円弧面４３、４４との摩擦抵抗が減るので、容易にロック状態まで蓋を閉じることができる。
【００４３】
また、本発明の情報処理装置１０は、摺接部材４８は、弾性を有するとともに円筒形状とされ、本体２０および蓋部３０のうちのいずれか一方に設けられた支持柱２６に軸通されている。
このため、摺接部材４８は、支持柱２６により強固に支持されるので、円弧面４３、４４に押し付けられて弾性変形することにより摩擦抵抗を発し、蓋部３０が自重で急激に落下して閉じるのを防止できる。
【００４４】
また、本発明の情報処理装置１０は、摺接部材４８は、一対の円弧面４３、４４の湾曲方向における各端部のうち、回動軸２５に近い側の円弧面４３が有する端部よりも、回動軸２５から遠い側の円弧面４４が有する端部の方から早く離間する。
このため、ロック部５０の操作により本体２０と蓋部３０との係合が解除される位置と、本体２０に対して蓋部３０が閉鎖した状態における位置との間において、摺接部材４８が支持柱２６の周辺をランダムに回転可能となるので、蓋部３０を開閉する度に円弧面４３、４４に対する摺接部材４８の摺接箇所が順番に変わり、これにより摺接部材４８の片減り、すなわち摺接部材４８の外周面の特定箇所が突出して磨耗することなく、摺接部材４８の外周面全域を均一に摺接箇所として使用できる。
【００４５】
また、本発明の情報処理装置１０は、蓋部３０は、蓋本体部３０１と回動抑制部４１とを有し、回動抑制部４１は、一対の円弧面４３、４４と、回動軸２５から遠い側の円弧面４４がその湾曲方向に有する端部より連続する直線部４５と、を有する。回動軸２５の軸受部３４は、蓋本体部３０１と回動抑制部４１とに分割して設けられている。本体２０は、回動軸２５と支持柱２６とを備えている。
このため、回動抑制部４１に設けられた直線部４５と軸受部３４の一方とが、回動抑制部４１の蓋本体部３０１への取り付け時において挿入ガイドの役目を果たすので、回動抑制部４１の位置決めと組み立てが容易になる。また、蓋部３０を開いた時において、直線部４５が装置内部を見せないように目隠しするので、装置内部にある回路への不正なアクセスを防止することができる。
なお、直線部４５は、回動軸２５から遠い側の円弧面４４が有する端部において、この回動軸２５から遠い側の円弧面４４の法線方向に設けられることがさらに望ましい。
【００４６】
また、本発明の情報処理装置１０は、印字ロール紙は、本体２０の開口部２１に設けられた収容部２３に収容される。印字ロール紙２２から引き出された引出部２２１は、案内路２３１により本体２０の外部に案内される。プリンタ部６０は、蓋部３０が閉鎖された状態で引出部２２１に印字するとともに、本体２０の外部に排出する。このとき、案内路２３１は、本体２０における収容部２３に対して回動軸２５とは反対側に設けられている。
このため、印字された引出部２２１は、収容部２３とは反対側に排出される。
特に、片方の手には、ロール紙など、交換しようとする消耗品を持っている場合に、これらの消耗品を置くこと無く、ロック部５０の片手操作のみにより本体２０と蓋部３０との係合を容易に解除することができる。これにより、消耗品の交換が容易となる。
【００４７】
また、本発明の情報処理装置１０は、蓋部３０は、情報処理に必要な情報の入力部３３と、入力部３３の操作により入力された情報または情報処理の結果を表示可能な液晶表示板３２とを有する。
このため、入力部３３や液晶表示板３２を備えることにより、蓋部３０の重量が重くなっても、蓋部３０が自重により急激に落下することを防ぐことができる。また、ユーザがロック部５０を操作する手とは別の手で蓋部３０を持ち上げる必要がなく、ロック部５０の片手操作のみにより本体２０と蓋部３０との係合を容易に解除することができる。
【００４８】
さらに、本発明の決済端末装置によれば、ロック部５０を解除して蓋部３０を閉じたり開いたりする途中で、蓋部３０が自重により急激に落下することを防ぐことができる。
また、本体２０に対して蓋部３０が閉鎖した状態から、ロック部５０の操作により本体２０と蓋部３０との係合が解除されるまでは、摺接部材４８が一対の円弧面４３、４４の少なくとも一方と離間している。このため、摺接部材４８と円弧面４３、４４との摩擦抵抗が減るので、ユーザがロック部５０を操作する手とは別の手で蓋部３０を持ち上げる必要がなく、ロック部５０の片手操作のみにより本体２０と蓋部３０との係合を容易に解除することができる。
また、片方の手には、ロール紙やインクカートリッジ、トナーカートリッジなど、交換しようとする消耗品を持っている場合に、これらの消耗品を置くこと無く、ロック部５０の片手操作のみにより本体２０と蓋部３０との係合を容易に解除することができて、消耗品の交換が容易となる。そして、本来の決済処理が可能な状態へと迅速に復旧させることができる。
【００４９】
本発明の情報処理装置および決済端末装置は、前述した実施形態に限定されるものでなく、適宜な変形、改良等が可能である。
例えば、前述した実施形態においては、本体２０側に摺接部材４８を設け、蓋部３０側に回動抑制部４１を設けた場合を例示したが、本体２０側に回動抑制部４１を設け、蓋部３０に摺接部材４８を設けることも可能である。
また、この他、プリンタなどが有するインクカートリッジやトナーカートリッジ、ドラム、中間転写部材などの消耗品の収納部における蓋部の開閉機構としても適用可能である。
【００５０】
また、本発明においては、摺接部材４８を回転しないように取り付けるとともに、摺接部材４８の外径を対向する円弧面４３、４４の間隔よりも小さくして、円弧面４３、４４のうちのいずれか一方に接するようにしてもよい。
【産業上の利用可能性】
【００５１】
本発明は、本体に対して蓋部が回動可能に設けられている情報処理装置および決済端末装置への適用に好適である。
【符号の説明】
【００５２】
１０  情報処理装置
２０  本体
２１  開口部
２２  ロール紙（印字ロール紙）
２２１  引出部
２３  収容部
２３１  案内路
２５  回動軸
２６  支持柱
３０  蓋部
３０１  蓋本体部
３２  液晶表示板（表示部）
３３  入力部
４１  回動抑制部
４３、４４  円弧面
４５  直線部
４８  摺接部材
４９  切れ目（湾曲方向端部）
５０  ロック部
５３  可動爪
５４  固定爪
６０  プリンタ部
６５  シャフト
ＣＬ  軸線
【図１】
2014208450.tif 000003
【図２】
2014208450.tif 000004
【図３】
2014208450.tif 000005
【図４】
2014208450.tif 000006
【図５】
2014208450.tif 000007
【図６】
2014208450.tif 000008
【図７】
2014208450.tif 000009
【図８】
2014208450.tif 000010
【図９】
2014208450.tif 000011
【図１０】
2014208450.tif 000012
【図１１】
2014208450.tif 000013
【図１２】
2014208450.tif 000014
【図１３】
2014208450.tif 000015
【図１４】
2014208450.tif 000016